(57)【要約】【課題】多数個を連結してライン照明を行う時、仕上げキャップが光カバーの間に露出されないようにしながら連結部分でもＬＥＤの等間隔が最大限維持されるように構造を改善することによって、より効率良いライン照明を可能にするＬＥＤライトバーを提供する【解決手段】本発明はＬＥＤライトバーに関するものであって、バー形態のフレームの内部にＬＥＤが等間隔で配列実装された回路基板が取り付けられ、前記フレームの上端には光カバーが結合され、フレームの端部には仕上げキャップが結合されたＬＥＤライトバーにおいて、前記仕上げキャップは上側に露出されないように前記光カバーの内部に引き込まれてフレームの端部に結合されることを特徴とする。【選択図】図１
2019016465.tif 000002
【特許請求の範囲】
【請求項１】
バー形態のフレームの内部にＬＥＤが等間隔で配列実装された回路基板が取り付けられ、前記フレームの上端には光カバーが結合され、フレームの端部には仕上げキャップが結合されたＬＥＤライトバーであって、
前記仕上げキャップは上側に露出されないように前記光カバーの内部に引き込まれてフレームの端部に結合されることを特徴とする、ＬＥＤライトバー。
【請求項２】
前記回路基板の端部には左右両側に電線が接続されると共に、電線間の中央にはフレームの端部から仕上げキャップの内部に突出する基板突出片が形成され、
前記光カバーの端部には前記基板突出片をカバーするようにフレームの端部から突出するカバー延長片が形成されることを特徴とする、請求項１に記載のＬＥＤライトバー。
【請求項３】
前記仕上げキャップは、
前記基板突出片を収容しながらフレームの端部に密着結合されてフレームの端部を仕上げさせるキャップ胴体と、前記キャップ胴体の上側に形成されて前記カバー延長片の内側面に密着しながら光カバーの端部を仕上げさせるヘッド板と、前記カム胴体の下端に形成されて前記電線を下方に通過させる電線通孔部を含むことを特徴とする、請求項２に記載のＬＥＤライトバー。
【発明の詳細な説明】
【技術分野】
【０００１】
本発明はＬＥＤライトバーに関し、特にライン照明のために多数個が連結設置される時、陰影を最小化しながら連続的で、かつ均一な照明が可能なＬＥＤライトバーに関する。
【背景技術】
【０００２】
一般に、ＬＥＤライトバーは直線で長く延長されたバー形状の照明機器であって、バー形状のフレームの内部にＬＥＤが等間隔で実装配列された回路基板が設置され、フレームの上端には光カバーが結合されると共に、前後両側端部には仕上げキャップが結合される構成からなる。
【０００３】
このような構成のＬＥＤライトバーは単独に使われることもあるが、大部分は多数個が一列に連結設置されて室内の装飾美を向上させるためのライン照明用途に使われる。
【０００４】
ところで、従来のＬＥＤライトバーは多数個が連結されてライン照明に使われる時、ＬＥＤライトバー相互間の光カバーと光カバーとの間に仕上げキャップが位置して露出される構造であるので、露出された仕上げキャップによって光カバーと光カバーとの間に陰影が発生することによって、ライン照明の連続性を阻害する問題点がある。
【０００５】
また、回路基板がフレームの端部まで形成されると共に、回路基板の電線による干渉によってＬＥＤライトバー相互間の仕上げキャップを完全に密着させ難いので、ＬＥＤライトバー相互間の連結部分でＬＥＤの間隔が大きく広がるようになることによって、ライン照明の均一性を阻害する問題点があった。
【発明の概要】
【発明が解決しようとする課題】
【０００６】
本発明は従来の問題点を解決するために提案されたものであって、本発明の目的は、多数個を連結してライン照明を行う時、仕上げキャップが光カバーの間に露出されないようにしながら連結部分でもＬＥＤの等間隔が最大限維持されるように構造を改善することによって、より効率良いライン照明を可能にするＬＥＤライトバーを提供することにある。
【課題を解決するための手段】
【０００７】
前記の目的を達成するための本発明の課題解決手段として、バー形態のフレームの内部にＬＥＤが等間隔に配列実装された回路基板が取り付けられ、前記フレームの上端には光カバーが結合され、フレームの端部には仕上げキャップが結合されたＬＥＤライトバーにおいて、前記仕上げキャップは上側に露出されないように前記光カバーの内部に引き込まれてフレームの端部に結合されることを特徴とするＬＥＤライトバーが開示される。
【０００８】
ここで、前記回路基板の端部には左右両側に電線が接続されると共に、電線の間の中央にはフレームの端部から仕上げキャップの内部に突出する基板突出片が形成され、前記光カバーの端部には前記基板突出片をカバーするようにフレームの端部から突出するカバー延長片が形成できる。
【０００９】
また、前記仕上げキャップは、前記基板突出片を収容しながらフレームの端部に密着結合されてフレームの端部を仕上げさせるキャップ胴体と、前記キャップ胴体の上側に形成されて前記カバー延長片の内側面に密着しながら光カバーの端部を仕上げさせるヘッド板と、前記キャップ胴体の下端に形成されて前記電線を下方に通過させる電線通孔部を含むことができる。
【発明の効果】
【００１０】
本発明のＬＥＤライトバーによれば、ライン照明時、仕上げキャップが透光カバーの外部に露出されないのでＬＥＤライト相互間の連結部分に陰影が発生せず、また回路基板が仕上げキャップの内部に突出しながら電線は仕上げキャップの下端に通過される構造からなって隣り合う仕上げキャップを完全に密着させることができるので、連結部分でＬＥＤ相互間の間隔を最小化させてＬＥＤの等間隔を最大限維持することができ、それによってライン照明の連続性と均一性を向上させて効率良いライン照明可能な効果がある。
【図面の簡単な説明】
【００１１】
【図１】本発明のＬＥＤライトバーの外観を概略的に示した図である。
【図２】本発明のＬＥＤライトバーの分解構成を示した図である。
【図３】図２の“Ａ”部分を拡大した図である。
【図４】本発明のＬＥＤライトバーの端部部分を断面として示した図である。
【図５】本発明のＬＥＤライトバーが相互連結されたことを示した図である。
【図６】本発明のＬＥＤライトバーが相互連結された状態の連結部分を断面として示した図である。
【発明を実施するための形態】
【００１２】
以下、添付した図面を参照して本発明のＬＥＤライトバーに関する好ましい実施形態を詳細に説明する。
【００１３】
図１から図６には本発明の一実施形態のＬＥＤライトバー１００が例示されているところ、前記図面に示したように、本発明の一実施形態のＬＥＤライトバー１００は、通常的な構成のように、フレーム１０、回路基板２０、ＬＥＤ３０、光カバー４０、及び仕上げキャップ５０を含んで構成される。
【００１４】
前記フレーム１０は一定長さを有するバー形態からなり、内面の上端には前記光カバー４０との結合のための結合溝１１が長手方向に沿って形成される。
【００１５】
前記回路基板２０はフレーム１０に対応する長さを有し、フレーム１０の内部に取り付けられる。
【００１６】
このような回路基板２０の端部には基板突出片２１が形成され、ＬＥＤ３０の電源供給のための電線２２が接続される。
【００１７】
図３に示したように、前記電線２２は回路基板２０の端部左右両側に接続され、前記基板突出片２１は電線２２の間の中央から延長される。
【００１８】
したがって、基板突出片２１は回路基板２０が取り付けられたフレーム１０の端部から外側に突出する。
【００１９】
前記ＬＥＤ３０は光源であって、前記回路基板２０の上面に等間隔で実装配列される。
【００２０】
この際、ＬＥＤ３０は基板突出片２１を含んだ回路基板２０の全体長さを考慮して等間隔で実装配列され、したがって、末端のＬＥＤ３０は基板突出片２１に実装されながらフレーム１０の端部の外側に位置できる。
【００２１】
前記光カバー４０はフレーム１０の上端に結合され、ＬＥＤ３０の光を拡散及び透過する。
【００２２】
光カバー４０はフレーム１０の内部に取り付けられた回路基板２０をカバーするところ、フレーム１０の端部から突出した前記基板突出片２１もカバーできるように端部にカバー延長片４１が形成され、したがって、光カバー４０もフレーム１０の端部から外側に一定長さ（Ｌ）突出する。
【００２３】
このような光カバー４０の左右両端にはフレーム１０の結合溝１１に挟まれて結合できる結合片４２が長手方向に沿って形成される。
【００２４】
前記仕上げキャップ５０は、フレーム１０の端部に結合されてフレーム１０と光カバー４０の端部を仕上げさせるものであって、図３に示したように、キャップ胴体５１、ヘッド板５２、及び電線通孔部５３を含む。
【００２５】
前記キャップ胴体５１は、略‘コ’形状からなって、フレーム１０の端部に密着しながらフレーム１０の端部を仕上げさせ、かつ内部にはフレーム１０の端部から突出した前記基板突出片２１を収容する。
【００２６】
このようなキャップ胴体５１はねじ締結によりフレーム１０端部に結合できる。
【００２７】
前記ヘッド板５２は、キャップ胴体５１から上側に形成されて前記光カバー４０の端部を仕上げさせる。
【００２８】
ヘッド板５２は、光カバー５０の内側面と同一の形状を有しながら光カバー４０の結合片４２が挟まれるように組立溝５２ａが形成される。
【００２９】
このようなヘッド板５２はキャップ胴体５１がフレーム１０の端部に密着すれば光カバー４０のカバー延長片４１の内側に引き込まれてカバー延長片４１の内側面に密着し、このようにヘッド板５２がカバー延長片４１の内側に引き込まれて密着する構造によって、本発明の仕上げキャップ５０は上側から見る時、外部に露出しなくなる。
【００３０】
前記電線通孔部５３は前記キャップ胴体５１の下端に形成され、前記回路基板２０に接続された電線２２を下方に通過させる。
【００３１】
前記のような構成からなる本発明のＬＥＤライトバー１００は、図５に示したように、ライン照明のために多数個が連結設置されるが、図６に示したように、電線２２が仕上げキャップ５０の電線通孔部５３を通じて下方に通過するので、ＬＥＤライトバー相互間の仕上げキャップ５０が電線２２の干渉無しで完全に密着できる。
【００３２】
また、仕上げキャップ５０が光カバー４０の内側に引き込まれる構造であるので、上側に露出されないながらＬＥＤライトバー１００の相互間の光カバー４０も離隔無しで完全に密着するようになる。
【００３３】
また、回路基板２０の基板突出片２１がフレーム１０の端部から突出して仕上げキャップ５０の内部に延長されながらＬＥＤ３０が実装されるので、ＬＥＤライトバー１００の相互間のＬＥＤ３０の間隔が最小化されてＬＥＤライトバー１００の連結部分でも等間隔（ｄ）を最大限維持できるようになる。
【００３４】
したがって、本発明のＬＥＤライトバー１００を通じてライン照明をするようになれば、連結部分で陰影を発生させないながら照明の連続性と均一性を最大限確保してライン照明をより効率的にすることができることが分かる。
【符号の説明】
【００３５】
１０    フレーム
２０    回路基板
２１    基板突出片
３０    ＬＥＤ
４０    光カバー
４１    基板延長片
５０    仕上げキャップ
５１    キャップ胴体
５２    ヘッド板
５３    電線通孔部
【図１】
2019016465.tif 000003
【図２】
2019016465.tif 000004
【図３】
2019016465.tif 000005
【図４】
2019016465.tif 000006
【図５】
2019016465.tif 000007
【図６】
2019016465.tif 000008